(57)【要約】【課題】模様や色調の変化又は交換が安易にでき、刻々と半無限的な模様の変化をする装飾照明装置を簡素な構成で実現する。【解決手段】光源と、磨りガラス又は光透過性部材からなるかさの間に、小片収容部を配した一端を光源に向け他端に集光レンズを連結した万華鏡を、集光レンズが小片の像を結像する面またはその近傍にかさが位置するように設置し、小片の交換を自在にし、また、小片を変位する自動駆動手段を設け、自動駆動手段を光源の発する熱による上昇気流を利用した回動装置、または光源の熱を利用した液体の対流装置とした。【選択図】図５
2004363071.tif 000002
【特許請求の範囲】
【請求項１】
光源と、磨りガラス又は光透過性部材からなるかさの間に、小片収容部を配した一端を前記光源に向け他端に集光レンズを連結した万華鏡を、前記集光レンズが前記小片の像と前記万華鏡内で多重に反射した前記小片の像を結像する面またはその近傍に前記かさが位置するように設置した装飾照明装置。
【請求項２】
前記小片の交換または着脱、または、前記小片収容部の交換または着脱が自在としたことを特徴とする請求項１記載の装飾照明装置。
【請求項３】
前記小片を変位する、自動駆動手段を備えたことを特徴とする請求項１または２記載の装飾照明装置。
【請求項４】
前記自動駆動手段が、前記光源の熱による上昇気流をうけるフィンと鉛直上向きの回転軸を有する回動装置であることを特徴とする請求項３記載の装飾照明装置。
【請求項５】
前記自動駆動手段が、前記小片収容部内に液体を満たし、該液体を前記光源の熱によって対流させる装置であることを特徴とする請求項３記載の装飾照明装置。
【発明の詳細な説明】
【０００１】
【発明の属する技術分野】
本発明は装飾照明装置並びに該装置に用いる模様変化の駆動装置に関する。
【０００２】
【従来の技術】
従来の模様または色の変化がある装飾照明装置には、かさまたは反射板の回転を利用するもの、複数の色光源またはフィルターを利用するものなどがある。
【０００３】
また、万華鏡を利用した照明として、均一面光源を得るためのもの（例えば、特開平１１−５４４２６参照）などがある。
【０００４】
また従来から、特に鏡筒の短い万華鏡は、覗き穴近傍で結像する集光レンズを備えているものがある。
【０００５】
【発明が解決しようとする課題】
従来の模様または色の変化のある装飾照明装置において、回転または反射またはフィルターなどを利用する簡素な構成では、模様または色の変化が乏しくなり、変化量を増やし装飾度を高めるには、コンピューターを利用するなど、複雑な構成が必要であった。
【０００６】
本発明は装飾照明装置に万華鏡を利用することで、より簡素な構成で、半無限的な模様または色の変化があり、さらに模様パターンや色調の交換が容易な、装飾照明装置を得ることを目的としており、さらに該装置に用いられる安易な模様変位の駆動手段を提供し、刻々と模様または色が変化する装飾度の高い装飾照明装置の実現を目的としている。
【０００７】
【課題を解決するための手段】
上記目的を達成するために、本発明の装飾照明装置においては、光源と、磨りガラス又は光透過性部材からなるかさの間に、小片収容部を配した一端を前記光源に向け他端に集光レンズを連結した万華鏡を、前記集光レンズが前記小片の像と前記万華鏡内で多重に反射した前記小片の像を結像する面またはその近傍に前記かさが位置するように設置したものである。
【０００８】
また、前記小片の交換または着脱、または、前記小片収容部の交換または着脱を自在にすることが望ましい。
【０００９】
さらに、前記小片を変位する自動駆動手段を設けるのが好ましい。
【００１０】
そして、前記自動駆動手段は、前記光源の熱による上昇気流を受けるフィンと鉛直上向きの回転軸を有する回動装置にするとよい。
【００１１】
また、前記自動駆動手段は、前記小片収容部内に液体を満たすとともに、前記液体を前記光源の熱によって対流させる装置とすることもできる。
【００１２】
前記の課題解決手段による作用は次の通りである。つまり、光源とかさの間にある万華鏡に連結された集光レンズが前記万華鏡内面で多重に反射する像を、磨りガラス又は光透過性部材からなるかさ面に結像させるため、投影面だけでなく、投影裏面にも模様を映し装飾度を上げる。
【００１３】
そして、小片の交換をすることで、かさの模様パターンや色調の交換をより容易にする。
【００１４】
さらに、小片の変位をする自動駆動手段を設けることで、刻々とかさの模様又は色が変化する。
【００１５】
さらに、小片を変位する駆動手段に照明装置が発する熱による上昇気流を利用した回動装置を採用することで、かさの模様又は色が刻々と変化する装飾照明装置をより安易な構成で実現できる。
【００１６】
さらに、小片を変位する駆動手段に照明装置が発する熱による、液体の対流装置を採用することで、液体の対流が小片を変位することによる半無限的な模様又は色の変化をうみ、さらに安易な構成でかさの模様又は色が刻々と変化する装飾照明装置を実現できる。
【００１７】
【発明の実施の形態】
本発明の実施の形態を図面を用いて説明すると、図１において光源１は台６上に設置され、外筒８は台６に固定された外筒支持７にねじ１２で固定され、小片収容部２２を挿脱可能に固定する小片収容部支持９と、集光レンズ４を固定したはめ込み支持１０は共に万華鏡３に固定され、はめ込み支持１０は外筒８の上部に挿脱可能にはめ込み支持され、かさ５はかさ支持１１により外筒８にねじ２０で固定され、図２に示すように小片２の像が結像する位置又はその近傍の位置にある。
【００１８】
図３に示される実施例では、光源１と万華鏡３の間に配する小片収容部３２をコップ状のガラスで成型し、側面に色ガラス小片をはりつけ、コップ状低部の中心に、モーター支持１４によって台６に固定されたモーター１３の回転軸を取り付けているので小片群の自動駆動ができる。
【００１９】
図４と図５に示される実施例では、外筒８と、外筒８内の各部と台６、との間に光源１による上昇気流の気道を確保し、台６に固定された外筒支持７に鋭利な先端を持つ支持棒１９を固定し、フィン１５、の形状を折り曲げ部２５を残し打ち抜き加工した金属板、特に好ましくは０・２ｍｍ厚のステンレス板、を筒状、特に好ましくは鉛直下向きに広がる錘状にし、折り曲げ部２５でフィン１５を内側に曲げ、上部に、円状ガラス１７を爪２０で固定し、支持棒１９の先端に、円状ガラス１７の下面中心に設けたくぼみ１６を合わせて載せ支持し、円状ガラス１７上に、小片収容部４２を載せ爪３０で固定し、光源１の発する熱による外筒８内部の上昇気流をフィン１５が受け、小片収容部４２が回転する。
【００２０】
図６に示される実施例では、小片収容部５２に液体を満たし、光源１と万華鏡３の間に配置することにより、光源１の発する熱が小片収容部５２内の液体を対流させ、小片を変位させることができる。
【００２１】
また、図４と図５の実施例の小片収容部４２内に液体を満たし、小片それぞれの比重を適宜選択することで、各小片の変位状態に差をつけこともできる。
【００２２】
また本発明に使用する集光レンズ４は単レンズに限られず、複数枚のレンズによる光学系にすることもできる。
【００２３】
また、本発明に使用する万華鏡は、角錐状又は角柱状のガラス棒にすることもできる。
【００２４】
【発明の効果】
本発明は上述したように構成されているので、以下に記載するような効果を奏する。
【００２５】
光源とかさの間に万華鏡を配し、集光レンズでかさに模様を投影することにより、簡素な構成で、模様や色の変化が大きい装飾照明装置が得られる。
【００２６】
万華鏡の像の元になる小片の交換をすることで、かさや光源を交換することなく、より安易に、模様パターンや色調の交換ができる。
【００２７】
万華鏡の像の元になる小片の自動駆動装置を備えることで、刻々と模様や色彩の変化する装飾照明装置が得られる。
【００２８】
小片の自動駆動手段を、光源の熱を利用した、上昇気流による回動装置又は液体の対流装置で構成することで、より簡素な構成で、刻々と模様や色の変化をする装飾照明装置が得られる。
【図面の簡単な説明】
【図１】本発明の実施形態を示す装飾照明装置の部分断面図
【図２】同装飾照明装置の機能を説明する図
【図３】小片の自動駆動装置の実施例を示す分解図
【図４】小片の自動駆動装置の実施例を示す分解図
【図５】小片の自動駆動装置の実施例を示す部分断面図
【図６】小片の自動駆動装置の実施例を示す部分断面図
【符号の説明】
１光源
２小片
３万華鏡
４集光レンズ
５かさ
２２，３２，４２，５２小片収容部
【図１】
2004363071.tif 000003
【図２】
2004363071.tif 000004
【図３】
2004363071.tif 000005
【図４】
2004363071.tif 000006
【図５】
2004363071.tif 000007
【図６】
2004363071.tif 000008